(57)【要約】【課題】被写体によらず、ピントを合わせる領域を認識可能にする撮像装置を提供する。【解決手段】焦点調節領域を選択して焦点調節処理を行う撮像装置１００を設ける。撮像装置１００が備えるメインコントローラ３０は、撮影前に、第１の構図から第２の構図に切り替える第１の切り替え動作を行う。メインコントローラ３０は、第１の切り替え動作が終了した後に、上記第２の構図から上記第１の構図に切り替える第２の切り替え動作を行う。【選択図】図１
2018019249.tif 000002
【特許請求の範囲】
【請求項１】
焦点調節処理を行う焦点調節手段と、
焦点調節領域を選択する選択手段と、
構図の変更制御を行う制御手段とを備え、
前記制御手段は、撮影前に、第１の構図から第２の構図に切り替える第１の切り替え動作を行った後に、前記第２の構図から前記第１の構図に切り替える第２の切り替え動作を行う
ことを特徴とする撮像装置。
【請求項２】
前記撮像装置に加わる振れによる像ブレの補正に用いられる補正手段を備え、
前記制御手段は、前記補正手段を駆動させることによって、前記構図の変更制御を実行する
ことを特徴とする請求項１に記載の撮像装置。
【請求項３】
前記制御手段は、前記補正手段を駆動させることによって、前記像ブレを補正するとともに、前記構図の変更制御を実行する
ことを特徴とする請求項２に記載の撮像装置。
【請求項４】
前記制御手段は、前記第１の切り替え動作時に、前記補正手段を、前記像ブレを補正する際の最大移動量を超えて移動可能である
ことを特徴とする請求項２または請求項３に記載の撮像装置。
【請求項５】
前記制御手段は、前記焦点調節手段による合焦が可能である場合に、前記第１の切り替え動作を行った後に、前記第２の切り替え動作を行う
ことを特徴とする請求項１乃至４のいずれか１項に記載の撮像装置。
【請求項６】
前記制御手段は、前記焦点調節手段による合焦が可能である場合に、前記第１の切り替え動作によって、前記第１の構図から、前記焦点調節領域が構図の所定の位置となる第２の構図に切り替える
ことを特徴とする請求項１乃至５のいずれか１項に記載の撮像装置。
【請求項７】
前記構図の所定の位置は、前記構図の中央の位置である
ことを特徴とする請求項６に記載の撮像装置。
【請求項８】
前記選択手段が前記焦点調節領域を選択した後に、前記焦点調節手段による前記焦点調節処理と、前記制御手段による前記第１の切り替え動作とが開始する
ことを特徴とする請求項５乃至７のいずれか１項に記載の撮像装置。
【請求項９】
前記第１の切り替え動作の終了前に、前記合焦が完了する
ことを特徴とする請求項５乃至８のいずれか１項に記載の撮像装置。
【請求項１０】
前記第１の切り替え動作の終了後に、前記焦点調節手段による前記焦点調節処理が開始し、前記第２の切り替え動作の開始前に、前記合焦が完了する
ことを特徴とする請求項５乃至９のいずれか１項に記載の撮像装置。
【請求項１１】
前記制御手段は、前記焦点調節手段による合焦が可能でない場合に、前記第１の切り替え動作を行った後に、構図を前記第２の構図とは異なる第２の構図に切り替える第３の切り替え動作を行う
ことを特徴とする請求項１乃至１０のいずれか１項に記載の撮像装置。
【請求項１２】
前記制御手段は、前記第３の切り替え動作を所定回数実行した場合に、前記第３の切り替え動作を終了して、構図を前記第１の構図に切り替える
ことを特徴とする請求項１１に記載の撮像装置。
【請求項１３】
焦点調節領域を選択する選択工程と、
焦点調節処理を行う焦点調節工程と、
構図の変更制御を行う制御工程とを有し、
前記制御工程では、撮影前に、第１の構図から第２の構図に切り替える第１の切り替え動作を行った後に、前記第２の構図から前記第１の構図に切り替える第２の切り替え動作を行う
ことを特徴とする撮像装置の制御方法。
【発明の詳細な説明】
【技術分野】
【０００１】
本発明は、撮像装置およびその制御方法に関する。
【背景技術】
【０００２】
被写体の付近に、例えば四角い表示枠等のフォーカスエリアを表示し、ピントを合わせようとしている領域を明示する撮像装置が提案されている。特許文献１は、測距点を示す表示マークの形を変えるカメラを開示している。また、フォーカスエリアにおいて、ピントが合っているかどうかを表示枠の色を赤や緑に変えることで表すカメラが提案されている。
【先行技術文献】
【特許文献】
【０００３】
【特許文献１】特開２００７−１７１８７０号公報
【発明の概要】
【発明が解決しようとする課題】
【０００４】
四角い表示枠等による領域の表示は、被写体そのものの一部を隠すこととなり、ユーザにとって被写体が見づらくなる。また、表示枠の形が被写体に近い場合に、その位置を認識しづらくなる。特許文献１が開示するカメラでは、被写体に応じて表示枠を変える必要があるという手間が生じる。また、表示枠の色を変えるカメラでは、表示枠の色が被写体の色と重なった場合などに、ピントの状態を認識しづらくなる。
本発明では、被写体によらず、ピントを合わせる領域を認識可能にする撮像装置の提供を目的とする。
【課題を解決するための手段】
【０００５】
本発明の一実施形態の撮像装置は、焦点調節処理を行う焦点調節手段と、焦点調節領域を選択する選択手段と、構図の変更制御を行う制御手段とを備え、前記制御手段は、撮影前に、第１の構図から第２の構図に切り替える第１の切り替え動作を行った後に、前記第２の構図から前記第１の構図に切り替える第２の切り替え動作を行う。
【発明の効果】
【０００６】
本発明の撮像装置によれば、被写体によらず、ピントを合わせる領域を認識可能にすることができる。
【図面の簡単な説明】
【０００７】
【図１】本実施形態の撮像装置の構成例を示す図である。
【図２】撮像装置の外観を示す図である。
【図３】撮像装置の動作処理を説明するフローチャートである。
【図４】合焦時動作と合焦不可時動作を説明するフローチャートである。
【図５】観察手段で観察される構図の例を示す図である。
【図６】合焦不可時の構図移動を示す図である。
【図７】構図の移動制御と焦点調節処理とブレ補正制御との関係を示す図である。
【図８】合焦時動作を説明するフローチャートである。
【図９】観察手段で観察される構図の例を示す図である。
【図１０】構図の移動制御と焦点調節処理とブレ補正制御との関係を示す図である。
【発明を実施するための形態】
【０００８】
（実施例１）
図１は、本実施形態の撮像装置の構成例を示す図である。
撮像装置１００は、レンズ群１０乃至観察手段４０を備える。レンズ群１０は、被写体からの光束を集めるための光学素子を有する。本実施例においては、最も被写体に近い側に位置する固定レンズ１１がレンズ群１０に設置されている。ズームレンズ１２は、画角を変更するレンズである。ズームレンズ１２は、光軸方向に移動可能に設置され、ガイドバー等により、移動時のガタを小さく設定した状態で保持される。その他、ズームレンズ１２は、カムを使って光軸方向に動かすことも可能である。ズームレンズ１２は、不図示のモータ等を備える画角変更部１５からの駆動信号により、光軸方向に移動する。
【０００９】
補正レンズ１３は、構図移動と像ブレ補正に用いられる。像ブレ補正は、撮像装置に加わる振れにより撮影画像に生じるブレ（像ブレ）を補正することである。補正レンズ１３は、光軸と直交する面内で移動する光学素子からなる。構図移動部１６からの駆動信号を受けて、補正レンズ１３が移動することで、観察手段４０で観察できる構図移動が行われる。構図移動部１６の構図信号を任意に出力することで、任意の構図に移動することができる。
【００１０】
振れ検出部３２は、ジャイロ等の撮像装置１００の振れを検出する。振れ検出部３２として、振れの方向ごとに複数のセンサを設置して、振れ信号を検出できる。メインコントローラ３０では、検出した振れ信号から振れをキャンセルするように、補正信号を構図移動部１６へ出力し、補正レンズ１３を駆動させる。これにより、振れによる像ブレを補正するブレ補正制御が実行される。メインコントローラ３０が、ブレ補正制御のための補正信号と、構図の変更制御のための構図信号とを重畳した制御信号（移動信号）で補正レンズ１３を駆動させることで、ブレ補正制御を行いつつ、任意の構図移動が可能となる。
【００１１】
フォーカスレンズ１４は、焦点調節のために光軸方向に移動可能な光学素子である。フォーカスレンズ１４が、焦点調節部１８から駆動信号を受けて駆動することで、焦点調節処理（合焦動作）が開始する。フォーカスレンズ１４は、所定の位置で停止し、合焦動作が終了する。以上がレンズ群１０の説明であるが、図１には不図示の開口径が可変の絞りなどを設置することも可能である。レンズ群１０は、撮像装置１００の一部ではあるが、いわゆる交換レンズとして、別のレンズ群へ交換することが可能としている。本発明は、レンズ交換が不可能な、レンズとカメラ本体とが一体となった撮像装置にも適用することができる。
【００１２】
撮像部２０は、ＣＭＯＳ等の光電変換素子であり、被写体からの光束を受けて、撮影する被写体像を電気信号に変換する。観察手段４０は、レンズ群１０を透過した光束が、光軸上に設置されたハーフミラー１９を介して導かれた先に設置される観察光学系である。観察手段４０では、レンズ群１０を透過した像が観察される。したがって、撮影者は、撮影する像に近い像を観察可能である。本実施例においては、観察手段４０を観察光学系としているが、撮像部２０で電気信号に変換された像を、不図示の液晶モニタ等で表示することも可能である。
【００１３】
メインコントローラ３０は、撮像装置１００全体を制御する。メインコントローラ３０は、各種の入力電気信号を処理し、電気信号として出力する。後述する自動で焦点調節する際のフォーカスエリアを選択する動作も、メインコントローラ３０で行われる。また、メインコントローラ３０は、構図移動部１６を制御することで構図の変更制御を行い、構図を切り替える。
【００１４】
焦点検出部３１は、撮像部２０から被写体までの距離に応じて、焦点検出処理を行う。この例では、焦点検出部３１は、公知の位相差検出方式を用いて、レンズ群１０を透過した光束に基づいて、焦点検出処理を実行する。なお、コントラスト方式という撮像素子で受光した光束のコントラストから被写体の合焦状態を検出する方式を適用してもよい。合焦するための情報が検出できれば、どのような焦点検出方式であっても構わない。合焦可能かどうかは、焦点検出部３１の検出結果により決まる。合焦不可の例としては、例えば、明るさの検出限界より暗く被写体を検出できない場合である。焦点検出部３１の電気信号をメインコントローラ３０で受信し、その結果に応じて焦点調節が可能かどうかが判断される。
【００１５】
メインコントローラ３０は、焦点調節領域であるフォーカスエリアを自動で判別するモードを有する。また、撮影者が、予め決められた複数のフォーカスエリアの中から任意の領域を選択することも可能である。また、焦点検出方式によっては、画面内全ての中から任意の領域を選択することも可能である。記録部３３は、撮像部２０で取得した被写体像の電気信号を保存しておく。記録部３３は、例えばメモリカードである。
【００１６】
図２は、撮像装置の外観を示す図である。
撮影指示部３４は、２段階のボタンスイッチである。撮影指示部３４を軽く押した場合には、焦点調節動作および測光動作が実行される。撮影指示部３４をさらに強く押しこむと、撮影が実行される。焦点調節動作は、焦点検出部３１の検出結果に応じて、焦点調節部１８から駆動振動を発生させフォーカスレンズ１４を駆動する動作である。撮影が開始されると、撮像部２０が、受光した光束を電気信号でメインコントローラ３０へ送信し、適切な画像処理、形式変換等が行われた後に記録部３３へ記録される。
【００１７】
ズーム操作部３６は、操作リングやシーソースイッチを有する。メインコントローラ３０は、ズーム操作部３６からの電気信号を受けて、画角変更部１５に電気信号を出力する。これにより、ズームレンズ１２が動作し、ズームが行われる。
【００１８】
領域選択部３５は、複数のボタンで構成され、２次元上の位置が選択できる。撮影者は、領域選択部３５を用いた操作によって、フォーカスエリアを指定することができる。具体的には、観察手段４０にオーバーレイ表示されたカーソルなどを動かして、フォーカスエリアを指定することが可能である。
【００１９】
図３は、本実施形態の撮像装置の動作処理を説明するフローチャートである。
Ｓ１０１では、メインコントローラ３０が、焦点調節指示があったかを判断する。焦点調節指示がない場合は、処理がＳ１０１に戻る。焦点調節指示があった場合は、処理がＳ１０２に進む。
【００２０】
図５は、観察手段で観察される構図の例を示す図である。
撮影者は、図５（Ａ）のように構図を定めると、撮影へ進むために、撮影指示部３４のスイッチを操作する。その結果、焦点調節指示が行われる。図５（Ａ）は、撮影者が撮影したい構図である第１の構図である。第１の構図は、撮影者が意図して設定する構図である。第１の構図では、補正レンズ１３を用いたブレ補正制御を行っている場合もあるし、撮像装置１００が三脚に取り付けられている場合などは、ブレ補正制御を行っていない場合もある。
【００２１】
図３の説明に戻る。Ｓ１０２において、メインコントローラ３０が、自動フォーカスエリア選択を行う。具体的には、メインコントローラ３０は、撮影者が決定した図５（Ａ）の第１の構図の中から、合焦するべき領域（フォーカスエリア）を自動で選択する。本実施例においては、フォーカスエリアを自動で選択しているが、撮影者の意図に応じて事前に設定してもよい。また、自動フォーカスエリア選択には、様々な方法がある。メインコントローラ３０が、構図中から顔を検出した場合、顔のある領域をフォーカスエリアとして選択してもよい。この例では、最も手前にある人の顔をフォーカスエリアとして選択する。
【００２２】
図５（Ａ）に示す第１の構図では、破線の領域であるフォーカスエリア１５１が選択される。なお、図５においては、説明のために、フォーカスエリア１５１を破線および一点鎖線で示している。破線は、合焦動作開始前の状態を示しており、一点鎖線は、合焦動作終了後の状態を示している。実際の撮影においては、フォーカスエリア１５１は表示されない。後述のとおり、構図移動により、フォーカスエリア１５１を撮影者へ認識させることができる。本実施例では、フォーカスエリア表示を行わないことで、フォーカスエリアの枠表示により被写体が見づらくなることが解消される。
【００２３】
次に、Ｓ１０３において、メインコントローラ３０が、Ｓ１０２で選択したフォーカスエリアに対して焦点検出可能かを判断する。焦点検出可能である場合は、処理がＳ１０４に進む。そして、Ｓ１０４において、メインコントローラ３０が、合焦時動作を行う。焦点検出可能でない場合は、処理がＳ１０５に進む。そして、Ｓ１０５において、メインコントローラ３０が、合焦不可時動作を行う。
【００２４】
図４は、図３のＳ１０４における合焦時動作と、Ｓ１０５における合焦不可時動作を説明するフローチャートである。
図４（Ａ）は、合焦時動作を説明するフローチャートである。Ｓ１１１において、メインコントローラ３０が、焦点検出結果に応じて、フォーカスレンズを駆動する。具体的には、メインコントローラ３０が、フォーカスレンズを所定の位置に動かす。これにより、図５（Ｂ）に示すように、第１の構図の状態で、フォーカスエリア１５１が示す人に合焦する。
【００２５】
次に、Ｓ１１２において、メインコントローラ３０が、第１の構図から第２の構図に切り替える（第１の切り替え動作を実行する）。具体的には、メインコントローラ３０は、補正レンズ１３を駆動することにより、図５（Ｂ）に示す第１の構図から、図５（Ｃ）に示す第２の構図に切り替える。第２の構図では、撮影者にフォーカスエリア１５１の位置を認識させるために、フォーカスエリア１５１が構図の所定の位置（図５（Ｃ）では中央）に配置されている。第１の切り替え動作の速度は、撮影者が、構図が移動している様子を確認できる程度に、ゆっくりした動きとなることが望ましい。撮影者がフォーカスエリア１５１の動きを追いかけやすくするためである。
【００２６】
次に、Ｓ１１３において、メインコントローラ３０が、第１の切り替え動作を終了し、第２の構図で停止した状態を所定時間保つ。第２の構図で停止していることで、フォーカスエリアを表示枠に頼らずに認識しやすくし、色に頼らずに合焦状態を確認できる。また、背景が表示されたまま構図移動するので、構図がどのように移動したのかを認識しやすい。また、フォーカスエリアを構図の略中央に移動することによって、撮影者が、フォーカスエリアを認識しやすくなる。これにより、被写体によらず、フォーカスエリアおよび合焦状態を分かりやすく伝えられる。ただし、例えば、構図の中央にメッセージを表示するなどの場合には、第２の構図においてフォーカスエリアが必ずしも中央である必要はなく、中央以外の特定の場所でよい。メッセージの表示を避けた位置にフォーカスエリアが配置されるようにすることで、フォーカスエリアおよび合焦状態を分かりやすく伝えることができる。
【００２７】
Ｓ１１４において、メインコントローラ３０が、第２の構図から図５（Ｄ）に示す第１の構図に切り替える（第２の切り替え動作を実行する）。撮影者は、既にフォーカスエリア１５１を認識することができた後なので、Ｓ１１３での第２の切り替え動作による構図移動については、素早く移動することが望ましい。撮影者がフォーカスエリアを認識した時点から撮影までの時間を短縮するためである。Ｓ１１５において、メインコントローラ３０が、被写体像を撮影する。メインコントローラ３０は、撮影画像に対して適切な画像処理、形式変換等を行って、記録部３３に記録する。図４（Ａ）を参照して説明したことから、メインコントローラ３０は、撮影前に、第１の構図から第２の構図に切り替える第１の切り替え動作を行った後に、第２の構図から第１の構図に切り替える第２の切り替え動作を行う。
【００２８】
図４（Ｂ）は、合焦不可時動作を説明するフローチャートである。また、図６は、合焦不可時の構図移動を示す図である。
図６では、薄暗い場所での撮影を説明するため、クロスハッチングによって、薄暗い様子を示している。図６（Ａ）は撮影者が撮影したい第１の構図である。薄暗い場所の撮影では、図３のＳ１０３において、焦点検出がうまくいかない場合がありうる。焦点検出ができない場合には、焦点調節動作に進めず、撮影することができない。ただし、撮像装置１００のモードによっては、合焦できない状態での撮影を許可することも可能である。
【００２９】
図４（Ｂ）のＳ１２２において、メインコントローラ３０が、図６（Ｂ）に示すように、第１の構図に対して、被写体を大きく左に移動した状態を示替わす構図を、第２の構図の一つに設定する。そして、メインコントローラ３０が、第１の構図から第２の構図へ切り替える（第１の切り替え動作を実行する）。
【００３０】
第１の構図に対して、被写体を大きく右に移動した図６（Ｃ）に示す構図を第２の構図の一つとする。Ｓ１２３において、メインコントローラ３０が、第２の構図の一つである図６（Ｂ）に示す構図から、この構図とは異なる第２の構図である図６（Ｃ）に示す構図へ切り替える（第３の切り替え動作を実行する）。本実施形態では、メインコントローラ３０は、第３の切り替え動作を所定回数実行する。例えば、第１回目の第３の切り替え動作では、図６（Ｂ）に示す構図から図６（Ｃ）に示す構図に切り替える。また、第２回目の第３の切り替え動作では、図６（Ｃ）に示す構図から図６（Ｂ）に示す構図に切り替える。このように、メインコントローラ３０は、例えば、構図を図６（Ｂ）に示す構図と図６（Ｃ）に示す構図とで交互に切り替える。もちろん、第２の構図を３以上の複数の構図とし、切り替え先の構図を予め決められた順序にしたがって、またはランダムに決めてもよい。
【００３１】
次に、Ｓ１２４において、メインコントローラ３０が、第３の切り替え動作を所定回数実行したかを判断する。第３の切り替え動作を所定回数実行していない場合は、処理がＳ１２３に戻る。第３の切り替え動作を所定回数実行した場合は、処理がＳ１２５に進む。この例では、所定回数は、３回とする。したがって、第３の切り替え動作で最後に切り替わった先の構図は、図６（Ｃ）に示す構図である。Ｓ１２５において、メインコントローラ３０は、第２の構図の一つである図６（Ｃ）の構図から、第１の構図である図６（Ａ）へ構図移動する（第２の切り替え動作を実行する）。
【００３２】
合焦不可時動作では、図４（Ａ）の合焦時動作と異なり、第１の切り替え動作の終了後の第２の構図で停止せず、第３の切り替え動作が開始する。さらに、第３の切り替え動作終了後に、第２の構図から第２の切り替え動作が行われ、第１の構図に切り替わる。
【００３３】
図６（Ｂ）に示す構図と、図６（Ｃ）に示す構図とは、第１の構図から見た場合に、構図移動の方向が反対で、移動量を同じである。これにより、構図移動が止まらずに左右に揺動しているように見える。すなわち、第２の構図で停止しないことで、撮影者へ合焦不可であることを伝えることができる。このように、合焦不可時動作では、第２の切り替え動作を行うことで、合焦不可であることを撮影者に認識させることができる。
【００３４】
Ｓ１２５における第２の切り替え動作終了後に、構図が図６（Ａ）に示す元の構図に戻り、構図移動が停止して、撮影が完了する。撮影者は、合焦不可の理由が明るさによるものであれば、フラッシュを使用するなどの方法を試す。
【００３５】
図７は、実施例１における、構図の移動制御と焦点調節処理とブレ補正制御との関係を説明する図である。
図７中の各グラフの縦軸は、各項目の状態を示す。横軸は、時間を示す。各項目をタイミング順に説明する。Ｔ１０１は、焦点調節指示を示す。焦点調節指示は、図３のＳ１０１に対応している。Ｔ１０１の縦軸は、Ｔ１０１ａのように、ＯＦＦからＯＮになったタイミングで撮影指示部３４のスイッチが押されたことを示す。
【００３６】
Ｔ１０３は、図３のＳ１０３における焦点検出のタイミングを示す。Ｔ１０３の縦軸は、Ｔ１０３ａのレベルでは、焦点検出が未検出であることを示す。Ｔ１０３ｃのレベルは、選択されたフォーカスエリアにおける焦点検出が完了し、焦点検出済みであることを示す。Ｔ１０３ｂは、Ｔ１０３ｂのタイミングで焦点検出が行われたことを示す。
【００３７】
Ｔ１１１は、図４（Ｂ）のＳ１１１における焦点調節のタイミングを示す。Ｔ１１１の縦軸は、合焦状態を示しており、未合焦と合焦済みの間で変化する。合焦動作の際は、Ｔ１１１ａのタイミングで、フォーカスレンズ１４が移動を開始する。また、Ｔ１１１ｃのタイミングで、フォーカスレンズ１４が移動を終了し、合焦動作が終了する。
【００３８】
Ｔ１１２１は、検出した振れによる像ブレを補正するための駆動信号（補正信号）を示す。Ｔ１１２１の縦軸は、信号レベルを示す。補正レンズ１３をＴ１１２１の補正信号で動作させると、観察手段４０では、振れがキャンセルされ被写体が静止した状態で観察可能となる。振れの方向は、通常ヨー、ピッチと２つの方向で表わされることが多いが、この例では、説明の簡便化のために、振れの方向は一方向のみを代表で説明する。Ｔ１１２１ａは、Ｔ１０１ａのタイミングと同じであり、Ｔ１１２１ａのタイミングから補正動作が開始される。
【００３９】
Ｔ１１２２は、図４（Ａ）のＳ１１２における、構図移動のための駆動信号（構図信号）を示す。Ｔ１１２２の縦軸は、信号レベルである。Ｔ１１２１ａは、信号レベルが０であり、図５（Ａ）に示す第１の構図の状態であることを示している。Ｔ１１２１ｂのタイミングで、構図移動の第１の切り替え動作が開始する。Ｔ１１２１ｃのタイミングで、構図移動の第１の切り替え動作が終了し、第２の構図で停止する。構図移動の第１の切り替え動作終了のタイミングであるＴ１１２１は、焦点調節の合焦動作の終了のタイミングであるＴ１１１ｂより後であり、第２の構図で停止したタイミングでは、合焦状態になっている。第１の切り替え動作終了前に合焦動作が完了することで、合焦した状態でフォーカスエリアの位置を確認することができ、撮影者が合焦状態であることを確認しやすくなる。Ｔ１１２１ｄは、構図移動の第２の切り替え動作が開始するタイミングである。Ｔ１１２１ｅのタイミングで第２の切り替え動作が終了し、第１の構図へ構図移動する。
【００４０】
Ｔ１１２３は、補正レンズ１３への駆動信号（移動信号）を示している。Ｔ１１２３ａの縦軸は、信号レベルである、移動信号は、補正信号と構図信号を重畳した信号である。Ｔ１１２３ａは、Ｔ１０１ａのタイミングと同じであり、Ｔ１１２３ａタイミングから補正動作が開始される。このように、構図移動の第１の切り替え動作および第２の切り替え動作の最中も、像ブレ補正を行っているので、構図移動の最中も振れがキャンセルされた状態で観察することが可能である。
【００４１】
通常、像ブレ補正において、補正量を大きくしすぎると、周辺画像がひずむことで劣化する。したがって、像ブレ補正のための補正レンズ１３の最大移動可能量が設定される。補正レンズ１３の最大移動可能量の片側が、Ｔ１１２３ｃで示す範囲である。
【００４２】
Ｔ１１２３ｃは、構図移動の第１の切り替え動作を行わない場合の像ブレ補正のための補正レンズ１３の最大移動可能量である。補正レンズ１３の移動量は、このＴ１１２３ｃの範囲を確実に動作可能とするために、Ｔ１１２３ｃより大きく設定される。
【００４３】
Ｔ１１２３ｂは、本実施例において、構図移動の第１の切り替え動作と像ブレ補正動作を同時に行った場合の補正レンズ１３の最大移動量を示す。Ｔ１１２３ｂは、Ｔ１１２３ｃより大きい。したがって、構図移動の第１の切り替え動作時の移動量は、第１の切り替え動作を行わない場合の補正動作の最大移動可能量より大きい。構図移動の第１の切り替え動作時には、周辺画像がひずむことが懸念されるものの、撮影はしないために、構図移動を行わない場合の補正動作の最大移動可能量より、構図移動の第１の切り替え動作時の移動量を大きく設定することができる。構図が撮影者の定めた状態に構図移動すると、Ｔ１１４に示す撮影が実行される。Ｔ１１４ａは、撮影が実行されるタイミングを示す。
【００４４】
以上が、構図移動の詳細である。図７を参照して説明した制御によれば、像ブレ補正制御を行いつつ、第１の切り替え動作および第２の切り替え動作を行うことで、スムーズな構図移動で、合焦状態を分かりやすく伝えることができる。
【００４５】
（実施例２）
実施例２の撮像装置について説明する。実施例２の撮像装置の構成は、図１と同様であるので説明を割愛する。実施例１と異なる部分に関してのみ以下に説明する。撮影の流れは、図３を参照して説明したフローチャートと同様である。実施例１と異なるのは、図３のＳ１０４における合焦時動作である。
【００４６】
図８は、実施例２における、合焦時動作を説明するフローチャートである。また、  図９は、実施例２における、観察手段で観察される構図の例を示す図である。図９では、説明の便宜上、フォーカスエリア２５１を破線および一点鎖線で示している。破線は、合焦動作開始前の状態を示す。一点鎖線は、合焦動作終了後の状態を示す。
【００４７】
まず、図８のＳ２１１において、メインコントローラ３０が、第１の構図から第２の構図に切り替える（第１の切り替え動作を実行する）。図９（Ａ）は、撮影者が撮影したい第１の構図である。第１の切り替え動作により、メインコントローラ３０が、フォーカスエリア２５１が構図の中央となるように構図移動することで、図９（Ｂ）に示す第２の構図に構図移動する。フォーカスエリア２５１は、破線で示しているように合焦していない状態である。合焦していない状態で、フォーカスエリア２５１を中央に表示させることで、最初にフォーカスエリアの位置を撮影者に認識させることができる。
【００４８】
Ｓ２１２において、メインコントローラ３０が、第１の切り替え動作が終了し、構図を第１の構図で停止させる。続いて、Ｓ２１３において、メインコントローラ３０が、焦点検出の結果に応じて、フォーカスレンズを駆動することで、合焦動作が行われる。フォーカスレンズを所定の位置に移動することで、図９（Ｃ）に示すようにフォーカスエリア２５１が合焦状態となる。つまり、構図の中央に位置するフォーカスエリアを撮影者に認識させた状態から、実際に焦点調節を開始する。これにより、撮影者は、合焦したことを確実に確認することができる。
【００４９】
Ｓ２１４において、メインコントローラ３０が、第２の切り替え動作を実行する。これにより、構図が、図９（Ｄ）のように第１の構図に戻る。ただし、図９（Ａ）に示す構図の状態では、合焦していなかったのに対して、図９（Ｄ）に示す構図の状態では、合焦状態となっており、撮影の準備が完了している。
【００５０】
図８の説明に戻る。Ｓ２１５において、メインコントローラ３０が、被写体像を撮影する。メインコントローラ３０は、撮影結果に対して適切な画像処理、形式変換等を行った後に、記録部３３へ記録し、撮影が完了する。
【００５１】
図１０は、実施例２における、構図の移動制御と焦点調節処理とブレ補正制御との関係を説明する図である。
Ｔ２１２２ｂのタイミングで、構図移動の第１の切り替え動作が開始される。Ｔ１１２１ｃのタイミングで、第１の切り替え動作が終了する。続いて、Ｔ２１１ａのタイミングで、焦点調節の合焦動作が開始され、Ｔ１１１ｂのタイミングで、合焦動作が終了する。その後、Ｔ２１２１ｄのタイミングで、構図移動の第２の切り替え動作が開始され、Ｔ２１２１ｅのタイミングで、第２の切り替え動作が終了し、撮影の準備が完了する。すなわち、本実施例では、第１の切り替え動作の終了後に、焦点調節処理が開始し、第２の切り替え動作の開始前に、合焦が完了する。
【００５２】
実施例２では、メインコントローラ３０は、第１の切り替え動作終了後に合焦動作を開始し、第２の切り替え動作開始前に合焦動作を完了させる。これにより、撮影者は、最初にフォーカスエリアの特定を行い、続いて合焦状態を確認できるので、確実に合焦動作が行われたことを確認できる。
【００５３】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５４】
１６  構図移動部
３０  メインコントローラ
１００  撮像装置
【図１】
2018019249.tif 000003
【図２】
2018019249.tif 000004
【図３】
2018019249.tif 000005
【図４】
2018019249.tif 000006
【図５】
2018019249.tif 000007
【図６】
2018019249.tif 000008
【図７】
2018019249.tif 000009
【図８】
2018019249.tif 000010
【図９】
2018019249.tif 000011
【図１０】
2018019249.tif 000012